(57)【要約】【課題】遮音床下地材１の厚さを厚くすることなく、低床タイプの床下地材１であっても軽量床衝撃音を有効に低減できるようにする。【解決手段】遮音床下地材１は、床スラブＦに当接するように配置される不織布からなる板状の緩衝材２と、この緩衝材２の上面に接着により固定され、緩衝材２上面に制振材用スペース８，８，…を区画する複数の根太材１０，１０，…と、制振材用スペース８，８，…に上面が根太材１０，１０，…の上面と面一になるように収容される制振材１４とを備える。この床下地材１の根太材１０，１０，…及び制振材１４の上面に床仕上材１７が、根太材１０，１０，…に対し固定された状態で施工可能とされている。【選択図】図１
2020076293.tif 000002
【特許請求の範囲】
【請求項１】
板状の緩衝材と、
上記緩衝材の上面に接着により固定され、緩衝材上面に制振材用スペースを区画する根太材と、
上記制振材用スペースに上面が上記根太材の上面と面一になるように収容される制振材とを備え、
上記根太材及び制振材の上面に床仕上材が、根太材に対し固定された状態で施工可能とされていることを特徴とする遮音床下地材。
【請求項２】
板状の緩衝材と、
上記緩衝材の上面に接着により固定された剛性板材と、
上記剛性板材の上面に接着により固定され、剛性板材の上面に制振材用スペースを区画する根太材と、
上記制振材用スペースに上面が上記根太材の上面と面一になるように収容される制振材とを備え、
上記根太材及び制振材の上面に床仕上材が、根太材に対し固定された状態で施工可能とされていることを特徴とする遮音床下地材。
【請求項３】
請求項１又は２において、
緩衝材が不織布からなることを特徴とする遮音床下地材。
【請求項４】
請求項３において、
緩衝材の不織布は、中実繊維と中空繊維とが混在していることを特徴とする遮音床下地材。
【請求項５】
請求項１〜４のいずれか１つにおいて、
緩衝材の厚さが１０ｍｍ以上であることを特徴とする遮音床下地材。
【請求項６】
請求項１〜５のいずれか１つにおいて、
制振材は、アスファルトマットであることを特徴とする遮音床下地材。
【請求項７】
請求項１〜６のいずれか１つの遮音床下地材の根太材及び制振材の上面に床仕上材が根太材に固定された状態で施工されていることを特徴とする遮音床構造。
【請求項８】
請求項７において、
床仕上材が制振材に接着されていることを特徴とする遮音床構造。
【請求項９】
請求項７又は８の遮音床構造を施工する方法であって、
床スラブ上に、遮音床下地材のうち上面に根太材が固定されている緩衝材、又は上面に剛性板材及び根太材が固定されている緩衝材を敷き込み、
上記緩衝材上面又は剛性板材上面の制振材用スペースに制振材を収容した後、
遮音床下地材の上に床仕上材を配置して上記根太材に留め付けることを特徴とする遮音床構造の施工方法。
【発明の詳細な説明】
【技術分野】
【０００１】
本発明は、遮音床下地材、遮音床構造及びその施工方法に関する。
【背景技術】
【０００２】
従来、この種の遮音床下地材として、例えば特許文献１に示されるように、内面に、粘弾性材料としてのアスファルト（制振材）が被着されたハニカム材を上下に開口するように配置し、そのハニカム材の上下両側にそれぞれ板材としてのベニア板を固定した防音床パネルが知られている。この防音床パネルは床梁上の根太間に施工され、防音床パネル及び根太の上にフローリングが敷設されるようになっており、ハニカム材に被着されたアスファルトで制振効果を得るようにしている。
【先行技術文献】
【特許文献】
【０００３】
【特許文献１】特開平７−８２８７２号公報
【発明の概要】
【発明が解決しようとする課題】
【０００４】
しかし、上記特許文献１のものは、主として木造住宅用の遮音床下地材であり、ハニカム材の開口面への制振材の被着を避けることで、ハニカム材と板材とを強固に接着し、その一体化により剛性を高くして重量床衝撃音を吸収するようにしている。
【０００５】
そのため、もう１種の床衝撃音である軽量床衝撃音については、ハニカム材に制振材を被着するだけの構造によって有効に低減することはできず、軽量床衝撃音が問題となるＲＣ造りのマンション等の集合住宅に適用しても、その軽量床衝撃音の低減効果が不十分である。
【０００６】
また、ハニカム材が上下方向に開口しているので、床下地材（防音床パネル）の厚さが厚くなるのは避けられず、施工状態では床面の高さの上昇を招いて、その分、室の天井高さが低くなり、特に既存の床を遮音のために改修する場合には顕著な問題となる。
【０００７】
本発明は斯かる諸点に鑑みてなされたものであり、その目的は、遮音床下地材の構造を改良することで、その床下地材の厚さを厚くすることなく、低床タイプの床下地材であっても軽量床衝撃音を有効に低減できるようにすることにある。
【課題を解決するための手段】
【０００８】
上記の目的を達成すべく、この発明では、板状の緩衝材の上面に複数の根太材を直接又は間接に固定し、その根太材間の緩衝材上側に制振材を配置するようにした。
【０００９】
具体的には、第１の発明は、板状の緩衝材と、この緩衝材の上面に接着により固定され、緩衝材上面に制振材用スペースを区画する根太材と、上記制振材用スペースに上面が上記根太材の上面と面一になるように収容される制振材とを備え、上記根太材及び制振材の上面に床仕上材が、根太材に対し固定された状態で施工可能とされていることを特徴とする。
【００１０】
この第１の発明では、床下地材は、緩衝材上に根太材が固定されて、この根太材間の緩衝材上面の制振材用スペースに制振材が収容されているものであり、根太材及び制振材はそれぞれ上面を面一にして並んだ状態で緩衝材の上面に配置される。この床下地材を例えば床スラブ上に緩衝材が床スラブに当接するように載置し、その上に床仕上材を根太材に対し固定して施工すると、床仕上材に加わった軽量床衝撃音は、床下地材の制振材で制振されながら緩衝材全体で緩衝されるようになる。このように床スラブと床仕上材との間に床下地材の制振材及び緩衝材が介在されている構造により、軽量床衝撃音に対し高い低減効果が得られる。
【００１１】
また、床下地材は、緩衝材の上面に根太材及び制振材が面一に並んだ状態で配置されたものであるので、その厚さは薄くて済み、低床タイプの床構造に使用することができ、室の天井高さの低下を招来することはない。
【００１２】
第２の発明は、板状の緩衝材と、この緩衝材の上面に接着により固定された剛性板材と、この剛性板材の上面に接着により固定され、剛性板材の上面に制振材用スペースを区画する根太材と、上記制振材用スペースに上面が上記根太材の上面と面一になるように収容される制振材とを備え、上記根太材及び制振材の上面に床仕上材が、根太材に対し固定された状態で施工可能とされていることを特徴とする。
【００１３】
この第２の発明でも第１の発明と同様の作用効果を奏することができる。また、緩衝材と根太材及び制振材との間に剛性板材が介在されているので、その剛性板材の剛性によって緩衝材の沈み込みを抑えることができる。しかも、剛性のある剛性板材の上面に根太材と制振材とが配置されているので、それら根太材と制振材との間の不陸を小さくでき、床鳴り等のリスクを低減して床の耐久性の向上を図ることができる。
【００１４】
さらに、緩衝材に対し制振材の荷重が剛性板材を介して均等に加えられることになり、床衝撃音の低減効果を高めることができる。
【００１５】
第３の発明は、第１又は第２の発明において、上記緩衝材が不織布からなることを特徴とする。このことで、第１又は第２の発明の効果を奏し得るのに有効な緩衝材が得られる。
【００１６】
第４の発明は、第３の発明において、緩衝材の不織布は、中実繊維と中空繊維とが混在していることを特徴とする。
【００１７】
この第４の発明では、緩衝材の不織布は中実繊維だけでなく中空繊維も混在していることから、その中空繊維によって緩衝材、延いては床下地材の重さを軽くすることができるとともに、中空繊維の繊維径を大きくして緩衝材の嵩高さを大に確保することができる。
【００１８】
第５の発明は、第１〜第４の発明のいずれか１つにおいて、緩衝材の厚さが１０ｍｍ以上であることを特徴とする。このことで、緩衝材の緩衝効果を安定して確保することができる。
【００１９】
第６の発明は、第１〜第５の発明のいずれか１つにおいて、制振材は、アスファルトマットであることを特徴とする。このアスファルトマットは比重が大きく、緩衝材に載置されて制振するのに望ましい制振材が得られる。
【００２０】
第７の発明は遮音床構造に係り、この遮音床構造は、第１〜第６の発明のいずれか１つの遮音床下地材の根太材及び制振材の上面に床仕上材が根太材に固定された状態で施工されていることを特徴とする。
【００２１】
この第７の発明では、遮音床下地材の根太材及び制振材の上面に床仕上材が配置され、この床仕上材は根太材に固定されて施工される。この発明でも、第１又は第２の発明と同様に、軽量床衝撃音に対し高い低減効果を有しかつ床材の厚さが薄くて床面高さの低い床構造が得られる。
【００２２】
第８の発明は、第７の発明において、床仕上材が制振材に接着されていることを特徴とする。
【００２３】
この第８の発明では、床下地材上に施工される床仕上材が床下地材の制振材にも接着されて一体化されている。仮に、接着されていない場合には、床仕上材と制振材との隙間に起因して、床仕上材に生じた軽量床衝撃音が制振材を通らない経路が生じ、その床衝撃音が十分に制振されずに伝わるのに対し、床仕上材が制振材に接着されて一体化されていると、床衝撃音は必ず制振材を経由して伝われるようになり、その制振効果を確実に発揮させて軽量床衝撃音をさらに低減することができる。
【００２４】
第９の発明は、第７又は第８の発明の遮音床構造を施工する方法であって、床スラブ上に、遮音床下地材のうち上面に根太材が固定されている緩衝材、又は上面に剛性板材及び根太材が固定されている緩衝材を敷き込み、その緩衝材上面又は剛性板材上面の制振材用スペースに制振材を収容した後、遮音床下地材の上に床仕上材を配置して上記根太材に留め付けることを特徴とする。
【００２５】
この第９の発明では、床スラブ上に、床下地材のうち上面に根太材が固定されている緩衝材、又は上面に剛性板材及び根太材が固定されている緩衝材が床スラブ上に敷き込まれ、次いで、その緩衝材上面又は剛性板材上面の制振材用スペースに制振材が収容され、床下地材の施工が終わる。しかる後、床下地材上に床仕上材が配置され、この床仕上材は上記根太材に留め付けられる。このことで、軽量床衝撃音の低減効果の高い低床タイプの床構造を容易に施工することができる。
【発明の効果】
【００２６】
以上説明したように、本発明によると、板状の緩衝材上面に根太材を接着により固定し、又は緩衝材上面に剛性板材を接着してその上に根太材を固定し、その根太材で区画される緩衝材上面又は剛性板材上面の制振材用スペースに制振材を根太材上面と面一になるように収容し、根太材及び制振材の上面に床仕上材を施工可能としたことにより、軽量床衝撃音に対し高い低減効果を有しかつ床材の厚さが薄くて床面高さの低い床構造が得られる。
【図面の簡単な説明】
【００２７】
【図１】図１は、本発明の実施形態１に係る遮音床下地材の斜視図である。
【図２】図２は、遮音床下地材の平面図である。
【図３】図３は、遮音床下地材の側面図である。
【図４】図４は、遮音床構造を示す断面図である。
【図５】図５は、遮音床構造の施工方法を示す図である。
【図６】図６は、緩衝材としての不織布の繊維を示す拡大断面図である。
【図７】図７は、本発明の実施形態２に係る遮音床下地材の斜視図である。
【図８Ａ】図８Ａは、実施形態２に係る遮音床構造の要部を示す断面図である。
【図８Ｂ】図８Ｂは、実施形態２に係る遮音床下地材において、剛性板材と緩衝材とが合决り形状で接着された変形例の要部を示す断面図である。
【図８Ｃ】図８Ｃは、剛性板材と緩衝材とが合决り形状で接着される前の分離状態を示す断面図である。
【図９】図９は、不織布の厚さを変えたときの軽量床衝撃音レベルを示す図である。
【図１０】図１０は、不織布の厚さを変えたときのオクターブ帯域周波数１２５Ｈｚでの軽量床衝撃音レベルを示すグラフである。
【図１１】図１１は、遮音床構造の軽量床衝撃音低減性能を示すグラフである。
【図１２】図１２は、床仕上材と制振材との接着一体化による軽量床衝撃音低減性能の変化を示す図である。
【発明を実施するための形態】
【００２８】
以下、本発明の実施形態を図面に基づいて詳細に説明する。以下の実施形態の説明は、本質的に例示に過ぎず、本発明、その適用物或いはその用途を制限することを意図するものでは全くない。
【００２９】
（実施形態１）
図１〜図３は本発明の実施形態１に係る遮音床下地材１を示す。この床下地材１は、図４及び図５に示すように、例えばＲＣ造りの集合住宅のコンクリート床スラブＦ上に複数枚が敷き詰められて施工される。床下地材１は、板状の緩衝材２と、その上に接着により一体的に固定されている複数本（図示例では３本）の根太材１０，１０，…とを備えている。
【００３０】
緩衝材２は、例えば６０〜９６Ｋ程度の密度を有する高密度の不織布を板状にカットしたもので、その厚さは１０ｍｍ以上であることが好ましい。緩衝材２の厚さが１０ｍｍよりも薄いと、上側に載置される後述の制振材１４等によって緩衝材２が過度に圧縮されて潰れてしまい、軽量床衝撃音の低減性能が不十分となるためである。緩衝材２の厚さは１０ｍｍ以上であれば、厚くなるほど軽量床衝撃音の低減性能が高くなるが、反面では床下地材１全体の厚さも大きくなって施工時の床面高さが高くなる。そのため、低床タイプの床構造として許容される程度の厚さに抑えておくのがよく、最大で３０ｍｍ程度が望ましい。本実施形態では、緩衝材２は、例えば厚さ２０ｍｍ、幅９１０ｍｍ、長さ１８２０ｍｍの縦長の矩形板形状とされている。
【００３１】
緩衝材２を構成する不織布は、図６に拡大して示すように、主原料として中実繊維４と中空繊維５とが混在し、これらが交絡してバインダーとしての芯鞘繊維６により一体的に接着されている。中実繊維４は、例えば繊維太さ１５ｄｔｅｘ、繊維長５１ｍｍ、融点が約２６０℃のポリエチレンテレフタレート（ＰＥＴ）繊維からなり、中空繊維５は、例えば繊維太さ１４．４ｄｔｅｘ、繊維長６４ｍｍ、融点が約２６０℃のポリエチレンテレフタレート（ＰＥＴ）中空繊維からなる。バインダーである芯鞘繊維６は、例えば繊維太さ２．２ｄｔｅｘ、繊維長５１ｍｍ、融点が約２６０℃のポリエチレンテレフタレート（ＰＥＴ）繊維からなる芯繊維６ａと、その周り全体に配置され、例えば繊維太さ４．４ｄｔｅｘ、繊維長５１ｍｍ、融点が約１１０℃の低融点ポリエチレンテレフタレート（ＰＥＴ）繊維からなる鞘繊維６ｂとを有する。そして、不織布における中実繊維４、中空繊維５及び芯鞘繊維６の混合割合は、重量比で例えば中実繊維４が４５％、中空繊維５が１５％、芯鞘繊維６が４０％である。
【００３２】
一方、上記複数本の根太材１０，１０，…は、いずれも緩衝材２の上面に接着剤により固定されている。この接着剤は、例えば酢酸ビニル系接着剤等が用いられる。複数本の根太材１０，１０，…はいずれも同じもので、板状の緩衝材２の長さ方向に互いに平行に延びる合板製の角材からなり、例えばその幅は４５ｍｍ、厚さは１２ｍｍであり、長さは緩衝材２と同じ１８２０ｍｍとされている。複数本の根太材１０，１０，…は緩衝材２の上面に幅方向に一定間隔を空けて配置され、各根太材１０の長さ方向両端部の位置は緩衝材２の同方向端部と一致している。１本の根太材１０，１０が緩衝材２の幅方向一端部に位置し、残りの根太材１０，１０は緩衝材２の幅方向中間部に配置されている。そして、これら複数本の根太材１０，１０，…の側方に位置する部分の緩衝材２上面に複数列（図示例では３列）の制振材用スペース１２，１２，…が区画され、この各制振材用スペース１２は例えば幅２５８ｍｍ、深さが根太材１０の厚さと同じ１２ｍｍ、長さが１８２０ｍｍの断面矩形状の凹溝からなっている。
【００３３】
また、床下地材１は、上記緩衝材２及び根太材１０，１０，…に加え、制振材１４をも備えている。この制振材１４は、上記緩衝材２上の制振材用スペース１２，１２，…に多少の寸法誤差があっても収容できるように僅かの隙間を残して収容される板状もので、例えばアスファルトマット、ゴムマット、塩ビマット等、比較的重量の大きいマット状のものが用いられる。その中で、特にアスファルトマットが比重を大きくできるので好ましく、その比重は例えば２．６である。制振材１４の厚さは根太材１０の厚さと同じ（例えば１２ｍｍ）で、制振材１４が制振材用スペース１２に収容されたときに、制振材１４上面が根太材１０の上面と面一になるようにしている。
【００３４】
制振材１４は、図示例のように制振材用スペース１２と同じ長さの１枚ものでもよく、或いは複数の制振材１４，１４，…が並べられて制振材用スペース１２に収容されるようにしてもよい。
【００３５】
以上により、厚さが例えば３２ｍｍの遮音床下地材１が構成されており、図４及び図５に示すように、床スラブＦ上に載置されて敷き詰められる遮音床下地材１の根太材１０及び制振材１４の上面に床仕上材１７が、根太材１０に対しスクリューネイルやステープル等により固定された状態で施工可能とされている。この床仕上材１７は例えば厚さ１２ｍｍの合板製の板材からなる。
【００３６】
また、このようにして床スラブＦ上に載置されて敷き詰められる遮音床下地材１と、その上に施工された床仕上材１７とで遮音床構造が構成され、この遮音床構造は、遮音床下地材１の根太材１０及び制振材１４の上面に床仕上材１７が根太材１０に固定された状態で施工されている。
【００３７】
さらに、上記床仕上材１７は床下地材１の根太材１０に固定されているだけでなく、根太材１０，１０間の制振材１４に対しても接着されて一体化されている。
【００３８】
尚、上記遮音床構造では、図４に示すように、壁部Ｗに近い部分の壁際の床下地材１は、壁部Ｗと例えば６０ｍｍの間隔を空けて床スラブＦ上に載置され、この間隔部分の床スラブＦ上に、例えばゴムマット２０と、その上に積層された上下２枚の合板製の角材２１，２２とからなる際根太材２３が接着により固定されている。この際根太材２３は、その上面の高さが床下地材１上面と同じ例えば３２ｍｍとなって床下地材１上面と面一になっており、際根太材２３と壁部Ｗ及び床下地材１側面との間にそれぞれ例えば１０ｍｍ、５ｍｍの隙間が形成されている。そして、この際根太材２３に対しても床仕上材１７はスクリューネイルやステープル等により固定され、床仕上材１７と壁部Ｗとの間に僅かな隙間（例えば５ｍｍ）が空けられている。
【００３９】
次に、上記遮音床構造の施工方法について説明する。図５に示すように、遮音床下地材１において、上面に根太材１０，１０，…が固定されている複数枚の緩衝材２，２，…を床スラブＦ上に並べて敷き込む。尚、壁際では、図４に示すように、際根太材２３を床スラブＦ上に接着して固定する。
【００４０】
このように緩衝材２，２，…が床スラブＦ上に敷き詰められると、その緩衝材２上面の根太材１０，１０間の制振材用スペース１２，１２，…に制振材１４を敷き込んで収容する。この制振材１４は上面が根太材１０，１０，…の上面及び際根太材２３の上面と面一になる。
【００４１】
次いで、上記根太材１０，１０，…の上面及び制振材１４の上面、並びに際根太材２３の上面にそれぞれ接着剤を塗布した後、遮音床下地材１及び際根太材２３の上に床仕上材１７を配置して、その床仕上材１７を上記根太材１０，１０，…及び際根太材２３にスクリューネイルやステープル等により留め付け、制振材１４にも接着する。このことで、軽量床衝撃音の低減効果の高い低床タイプの床構造を容易に施工することができる。
【００４２】
したがって、この実施形態においては、床下地材１は、緩衝材２上に根太材１０，１０，…が固定されて、この根太材１０，１０，…間の緩衝材２上面の制振材用スペース１２，１２，…に制振材１４が収容されているものであり、根太材１０，１０，…及び制振材１４はそれぞれ上面を面一にして並んだ状態で緩衝材２の上面に配置される。そして、この床下地材１は床スラブＦ上に緩衝材２が床スラブＦに当接するように載置され、その上に床仕上材１７が根太材１０，１０，…に対し固定されて施工されて遮音床構造が形成される。この遮音床構造では、床仕上材１７に加わった軽量床衝撃音は、床下地材１の制振材１４で制振されながら緩衝材２全体で緩衝されるようになる。このように床仕上材１７と床スラブＦとの間に床下地材１の制振材１４及び緩衝材２が介在されている構造により、軽量床衝撃音に対し高い低減効果が得られる。
【００４３】
また、床下地材１は、緩衝材２の上面に根太材１０，１０，…及び制振材１４が面一に並んだ状態で配置されたものであるので、その厚さは薄くて済み、低床タイプの床構造に使用することができ、既存の床を遮音のために改修する場合でも、床面の高さを低く保つことができ、室の天井高さが低下することはない。
【００４４】
また、上記緩衝材２は不織布からなり、その不織布は中実繊維４だけでなく中空繊維５も混在しているので、その中空繊維５によって緩衝材２、延いては床下地材１の重さを軽くすることができるとともに、中空繊維５の繊維径を大きくして緩衝材２の嵩高さを大に確保することができる。
【００４５】
また、緩衝材２の厚さが１０ｍｍ以上であることで、その緩衝材２の緩衝効果を安定して確保することができる。
【００４６】
また、制振材１４がアスファルトマットであれば、このアスファルトマットは比重が大きいので、緩衝材２に載置されて制振するのに望ましい制振材１４が容易に得られる。
【００４７】
さらに、上記床下地材１の制振材１４に床仕上材１７が接着されて一体化されていることにより、以下の作用効果が得られる。すなわち、仮に、制振材１４に床仕上材１７が接着されていない場合には、床仕上材１７と制振材１４との隙間が生じ、その隙間に起因して、床仕上材１７に生じた軽量床衝撃音が制振材１４を通らない経路が生じ、その床衝撃音が十分に制振されずに伝わる。これに対し、床仕上材１７が制振材１４に接着されて一体化されていると、床衝撃音は必ず制振材１４を経由して伝われるようになる。そのため、制振効果を確実に発揮させて軽量床衝撃音をさらに低減することができる。
【００４８】
（実施形態２）
図７及び図８Ａ〜図８Ｃは本発明の実施形態２を示し（尚、図１〜図６と同じ部分については同じ符号を付してその詳細な説明は省略する）、遮音床下地材１において、緩衝材２と根太材１０，１０，…及び制振材１４との間に剛性板材１５を配置したものである。
【００４９】
すなわち、この実施形態では、図７及び図８Ａに示すように、遮音床下地材１は、例えば厚さ２０ｍｍの緩衝材２の上面に剛性板材１５が接着により固定されたものとされている。この剛性板材１５は例えば合板からなり、その大きさは緩衝材２と同じで、例えば幅９１０ｍｍ、長さ１８２０ｍｍの縦長の矩形板形状とされ、厚さは緩衝材２、根太材１０及び制振材１４よりも薄く、例えば５．５ｍｍとされている。このときの接着剤も例えば酢酸ビニル系接着剤等が用いられる。
【００５０】
上記剛性板材１５の上面には、実施形態１と同様に、互いに間隔をあけて平行に延びる複数本（図示例では３本）の根太材１０，１０，…が酢酸ビニル系接着剤等により接着されて固定され、これらの根太材１０，１０，…により剛性板材１５上面に複数（図示例では３つ）の制振材用スペース１２，１２，…が区画されている。この各制振材用スペース１２に根太材１０の厚さ（例えば１２ｍｍ）と同じ厚さの制振材１４が僅かの隙間を残して収容され、その制振材１４の上面は根太材１０の上面と面一になっている。
【００５１】
そして、上記緩衝材２、剛性板材１５（合板）、根太材１０及び制振材１４により厚さが例えば３７．５ｍｍの遮音床下地材１が構成されており、図８Ａに示すように、この遮音床下地材１における根太材１０及び制振材１４の上面に床仕上材１７が、根太材１０に対しスクリューネイルやステープル等により固定された状態で施工可能とされ、その施工により遮音床構造が構成される。この床仕上材１７は例えば厚さ１２ｍｍの合板製の板材からなる。その他の構成は実施形態１と同じである。
【００５２】
この実施形態２の遮音床構造を施工する場合も実施形態１と同様である。すなわち、まず、遮音床下地材１において、上面に剛性板材１５とその上の根太材１０，１０，…とがそれぞれ一体的に接着されて固定されている複数枚の緩衝材２，２，…を床スラブＦ上に並べて敷き込む。尚、壁際では、際根太材２３を床スラブＦ上に接着して固定する（図４参照）。
【００５３】
このように緩衝材２，２，…が床スラブＦ上に敷き詰められると、その剛性板材１５上面の根太材１０，１０間の制振材用スペース１２，１２，…に制振材１４を敷き込んで収容する。この制振材１４は上面が根太材１０，１０，…の上面及び際根太材２３の上面と面一になる。
【００５４】
次いで、上記根太材１０，１０，…の上面及び制振材１４の上面、並びに際根太材２３の上面にそれぞれ接着剤を塗布した後、遮音床下地材１及び際根太材２３の上に床仕上材１７を配置して、その床仕上材１７を根太材１０，１０，…及び際根太材２３にスクリューネイルやステープル等により留め付け、制振材１４にも接着する。このことで、軽量床衝撃音の低減効果の高い低床タイプの床構造が施工される。
【００５５】
したがって、この実施形態２においても、実施形態１と同様の作用効果が得られる。加えて、実施形態２の場合、緩衝材２と根太材１０及び制振材１４との間に剛性板材１５が介在されているので、その剛性板材１５の剛性によって緩衝材２（不織布）の沈み込みを抑えることができる。また、剛性のある剛性板材１５の上面に根太材１０と制振材１４とが配置されているので、それら根太材１０と制振材１４との間の不陸を小さくでき、床鳴り等のリスクを低減して床の耐久性の向上を図ることができる。
【００５６】
さらに、緩衝材２に対し制振材１４の荷重が剛性板材１５を介して均等に加えられることになり、床衝撃音の低減効果を高めることができる。
【００５７】
この実施形態２の遮音床下地材１において、図８Ｂに示すように、緩衝材２とその上の剛性板材１５とを合决り形状で接着してもよい。この場合、図８Ｃに示すように、例えば互いに隣接する遮音床下地材１，１のうちの一方（図８Ｃで左側）の緩衝材２の端部に、該端部を厚さ方向全体に亘り剛性板材１５よりも内側（同左側）に位置するように切り欠いた切欠凹部２ａが形成され、その切欠凹部２ａに対応する上側の剛性板材１５に、緩衝材２よりも突出した突条部１５ａが設けられている。他方（図８Ｃで右側）の緩衝材２の端部に、剛性板材１５よりも突出した突条部２ｂが形成され、その突条部２ｂに対応する剛性板材１５の端部に、該端部を厚さ方向全体に亘り緩衝材２よりも内側（同右側）に切り欠いた切欠凹部１５ｂが設けられる。このような合决り形状は、緩衝材２と剛性板材１５とを面方向にずらして接着することで形成される。そして、図８Ｂに示すように、両遮音床下地材１，１が突き合わされ、一方の遮音床下地材１における緩衝材２の切欠凹部２ａに他方の遮音床下地材１における緩衝材２の突条部２ｂが、また一方の遮音床下地材１における剛性板材１５の突条部１５ａが他方の遮音床下地材１における剛性板材１５の切欠凹部１５ｂにそれぞれ嵌め込まれることで、両遮音床下地材１，１が合决り構造で接合される。
【００５８】
また、このような合决り構造は、１枚の遮音床下地材１を中間部で複数に分割し、それらの分割部同士が合决り構造で接続されるように、緩衝材２と剛性板材１５とを面方向にずらして接着してもよい。
【００５９】
このように剛性板材１５と緩衝材２とを合决り形状で接着すれば、剛性板材１５上面等の不陸を小さくすることができ、遮音床下地材１の沈み込みを抑制できる利点が得られる。
【００６０】
（その他の実施形態）
尚、上記実施形態では、緩衝材２の不織布は、中実繊維４と中空繊維５とが混在しているものとしているが、中実繊維４のみ或いは中空繊維５のみであってもよい。また、緩衝材２は不織布以外のものを用いてもよい。
【００６１】
また、制振材１４は、上記のようにアスファルトマット以外のものを用いてもよい。
【００６２】
また、上記実施形態では、床下地材１の制振材１４に床仕上材１７が接着されている構造であるが、接着されていなくてもよい。しかし、上述のように床衝撃音の伝導経路を常に制振材１４を経由した経路にできる点で、接着するのが好ましい。
【実施例】
【００６３】
次に、具体的に実施した実施例について説明する。
【００６４】
（試験１）
厚さ２００ｍｍのコンクリート床スラブ上に、上記実施形態の構成の遮音床下地材に床仕上材を固定した試験体を置き敷きした。床下地材の緩衝材は厚さ３〜２０ｍｍ、幅９３０ｍｍ、長さ１８２０ｍｍ、密度８６Ｋの不織布とした。根太材は厚さ１２ｍｍ、幅４５ｍｍ、長さ１８２０ｍｍの合板製角材であり、４本の根太材を緩衝材上に２５０ｍｍの間隔を空けて並べて固定した。制振材は厚さ１２ｍｍ、幅２５０ｍｍ、長さ１８２０ｍｍ、比重２．６のアスファルトマットであり、根太材間の緩衝材上に配置した。よって床下地材は、厚さ１５〜３２ｍｍ、幅９３０ｍｍ、長さ１８２０ｍｍの大きさである。この床下地材の上に厚さ１２ｍｍ、幅９３０ｍｍ、長さ１８２０ｍｍの合板からなる床仕上材を配置して根太材に固定し、総厚さ２７〜４４ｍｍの試験体とした。
【００６５】
試験体の中央部をタッピングマシンにより加振し、コンクリート床スラブ下側の残響室に騒音計を配置して伝播音を測定し、試験体の遮音性能を評価した。また、コンクリート床スラブ上に試験体を配置せずに、そのコンクリート床スラブを直接にタッピングマシンにより加振したときの同様の伝播音も測定した（図９中の「スラブ」の欄）。これは遮音床下地材がない場合の伝播音であり、この値との差異が軽量床衝撃音の低減量となる。その結果を図９及び図１０に示す。図１０は、オクターブ帯域周波数の中心周波数が１２５Ｈｚであるときの軽量床衝撃音の音圧レベルを示している。
【００６６】
また、緩衝材は密度６５Ｋで厚さ２０ｍｍの不織布とし、その他の寸法等は上記と同様にして試験を行い、そのときの軽量床衝撃音レベルの低減量を測定した。その結果を図１１に示している。
【００６７】
これらの図に示すように、本発明の床下地材を備えた床構造であると、軽量床衝撃音が低減されており、特に緩衝材（不織布）の厚さが１０ｍｍ以上であると、その厚さの増大に伴って軽量床衝撃音が比例して線形に低減し、いずれも軽量床衝撃音レベルの等級ＬＬ−５０が得られている。これに対し、１０ｍｍ未満では、１０ｍｍ以上の場合の軽量床衝撃音の低減関係の比例性とは異なっており、低減効果が不足している。
【００６８】
（試験２）
試験体は試験１と同様のものであるが、そのうち、緩衝材としての不織布は、厚さ１８ｍｍ、目付１２００ｇ／ｍ２、密度６７Ｋとして、試験体の総厚さは４２ｍｍとした。その他の寸法は試験１と同様である。このような試験体を２つ作製し、その一方は、制振材（アスファルトマット）と床仕上材とが接着剤によって接着され、他方は、両者が接着されていないものとした。この２つの試験体について、試験１と同様のタッピングマシンにより加振して下側の残響室に騒音計を配置して伝播音を測定し、試験体の遮音性能を評価した。また、コンクリート床スラブを直接にタッピングマシンにより加振したときの同様の伝播音も測定した（図１２中の「スラブ」の欄）。その結果を図１２に示す。
【００６９】
この図１２によると、制振材と床仕上材とが接着剤によって接着されていない場合には、軽量床衝撃音の低減レベルがΔＬＬ−２であるのに対し、接着されていると、同低減レベルがΔＬＬ−３に下がり、軽量床衝撃音の低減効果が大きくなっている。特に、一般的に周波数が低くなるほど低減が困難とされるため、軽量床衝撃音の評価対象内で最も低い中心周波数である１２５Ｈｚでは明確に低下しており、制振材と床仕上材との接着が軽量床衝撃音の低減効果に有効であることが判る。
【産業上の利用可能性】
【００７０】
本発明は、軽量床衝撃音に対し高い低減効果を有しながら床材の厚さが薄くて床面高さの低い床構造が得られるので、極めて有用であり、産業上の利用可能性が高い。
【符号の説明】
【００７１】
Ｆ  床スラブ
１  遮音床下地材
２  緩衝材
４  中実繊維
５  中空繊維
６  芯鞘繊維（バインダー）
１０  根太材
１２  制振材用スペース
１４  制振材
１５  剛性板材
１７  床仕上材
【図１】
2020076293.tif 000003
【図２】
2020076293.tif 000004
【図３】
2020076293.tif 000005
【図４】
2020076293.tif 000006
【図５】
2020076293.tif 000007
【図６】
2020076293.tif 000008
【図７】
2020076293.tif 000009
【図８Ａ】
2020076293.tif 000010
【図８Ｂ】
2020076293.tif 000011
【図８Ｃ】
2020076293.tif 000012
【図９】
2020076293.tif 000013
【図１０】
2020076293.tif 000014
【図１１】
2020076293.tif 000015
【図１２】
2020076293.tif 000016